(57)【要約】【課題】２画素マルチドメインタイプの画素を有する液晶表示装置において、柱状スペーサを最適な位置に配置する。【解決手段】液晶表示装置は第１基板と第２基板との間に複数のスペーサを備える。前記第２の基板は、複数の赤色カラーフィルターと、複数の青色カラーフィルターと、複数の緑色カラーフィルターを有し、前記各色のカラーフィルターは、それぞれ前記映像信号線と前記走査線に囲まれた領域に配置される。前記各色のカラーフィルターは、第１の方向に沿って、赤色、緑色、青色の順に繰り返して配置されるか、若しくは、青色、緑色、赤色の順に繰り返して配置される。前記スペーサは、前記赤色カラーフィルターと前記青色カラーフィルター間の前記映像信号線と前記走査線の交差領域に配置される第１のスペーサ群を有する。【選択図】図４
2018151673.tif 000002
【特許請求の範囲】
【請求項１】
複数の走査線と、複数の映像信号線とが形成された第１基板と、
第２基板とを有し、
前記第１基板と前記第２基板との間に複数のスペーサが設けられた液晶表示装置であって、
前記複数の走査線は、第１の方向に沿って延設され、第２の方向に沿って平行に配置され、
前記複数の映像信号線は、前記第１の方向に沿って平行に配置され、前記第２の方向に、前記走査線を乗り越える際に延設方向が屈曲するように延設され、
前記第２基板は、複数の赤色カラーフィルターと、複数の青色カラーフィルターと、複数の緑色カラーフィルターを有し、前記各色のカラーフィルターは、それぞれ前記映像信号線と前記走査線に囲まれた領域に配置され、
前記各色のカラーフィルターは、前記第１の方向に沿って、赤色、緑色、青色の順に繰り返して配置されるか、若しくは、青色、緑色、赤色の順に繰り返して配置され、
前記スペーサは、前記赤色カラーフィルターと前記青色カラーフィルターとの間の前記映像信号線と前記走査線の交差領域に配置される第１のスペーサ群を有することを特徴とする液晶表示装置。
【請求項２】
前記第１のスペーサ群は、高さの異なる主スペーサと副スペーサを有することを特徴とする請求項１に記載の液晶表示装置。
【請求項３】
前記第１のスペーサ群の各スペーサは、表示領域において、前記映像信号線と前記走査線の前記交差領域の全てに配置されることを特徴とする請求項１に記載の液晶表示装置。
【請求項４】
前記第１のスペーサ群の各スペーサの中心位置は、前記映像信号線と前記走査線の交差領域の中心位置に合わせて配置されることを特徴とする請求項１に記載の液晶表示装置。
【請求項５】
前記第１のスペーサ群の各スペーサの中心位置は、前記映像信号線と前記走査線の交差領域の中心位置とずれた位置に配置され、且つ、第２の方向において直線状に配置されることを特徴とする請求項１に記載の液晶表示装置。
【請求項６】
前記第１のスペーサ群の各スペーサの中心位置は、前記映像信号線と前記走査線の交差領域の中心位置と合せた位置に配置されたものとずれた位置に配置されたものが混在することを特徴とする請求項１に記載の液晶表示装置。
【請求項７】
前記青色カラーフィルターと前記緑色カラーフィルターとの間の前記映像信号線と前記走査線の交差領域に配置される第２のスペーサ群と、
前記赤色カラーフィルターと前記緑色カラーフィルターとの間の前記映像信号線と前記走査線の交差領域に配置される第３のスペーサ群とを有することを特徴とする請求項２に記載の液晶表示装置。
【請求項８】
前記第２及び第３のスペーサ群では、前記映像信号線と前記走査線の交差領域に、間欠的に前記スペーサが配置されることを特徴とする請求項７に記載の液晶表示装置。
【請求項９】
前記第２のスペーサ群に配置されるスペーサと、前記第３のスペーサ群に配置されるスペーサは、異なる走査信号線上に配置されることを特徴とする請求項７に記載の液晶表示装置。
【請求項１０】
前記第２および第３のスペーサ群の各スペーサの中心位置は、前記映像信号線と前記走査線の交差領域の中心位置に合わせて配置されることを特徴とする請求項７に記載の液晶表示装置。
【請求項１１】
前記第２のスペーサ群の各スペーサの中心位置は、前記映像信号線と前記走査線の交差領域の中心位置からずれた位置に配置され、且つ、第２の方向に沿って直線状に配置され、
前記第３のスペーサ群の各スペーサの中心位置は、前記映像信号線と前記走査線の交差領域の中心位置に合わせた位置に配置されることを特徴とする請求項７に記載の液晶表示装置。
【請求項１２】
前記第１基板には配向膜が設けられており、
前記配向膜は、前記複数の走査線と直交する方向に、配向処理されていることを特徴とする請求項１に記載の液晶表示装置。
【発明の詳細な説明】
【技術分野】
【０００１】
本発明は、液晶表示装置に係り、特に、第１基板と第２基板との間の間隔を一定に保持する柱状スペーサの配置方法に関する。
【背景技術】
【０００２】
現在、一般に用いられている液晶表示装置の多くは、一対の基板（例えば、ガラス基板）と、その間隙に封入された液晶組成物から構成される。具体的には、例えば、ＩＰＳ方式の液晶表示装置であれば、一方の基板（以下、ＴＦＴ基板という）上にアモルファスシリコン等を半導体層とした薄膜トランジスタ、画素電極、信号線、ゲート電極、対向電極等が形成され、また、他方の基板（以下、ＣＦ基板という）上には、遮光膜、カラーフィルタ等が形成される。そして、ＴＦＴ基板とＣＦ基板とを、スペーサにより一定の間隙を保持して対向配置するとともに、シール剤で封止し、その間に液晶組成物を封入して構成される。
この間隙を一定に保持するためのスペーサとしては、基板に均一に散布して用いる粒径の均一なプラスチックビーズに代わり、近年では、ＣＦ基板の非表示領域上に直接パターンを形成して構成される柱状スペーサが多用されている。
この柱状スペーサは、常時、ＴＦＴ基板とＣＦ基板との間のギャップ間隔を支持するメイン柱状スペーサと、ＴＦＴ基板とＣＦ基板との間に圧力が加わった場合のみ、ＴＦＴ基板とＣＦ基板との間のギャップ間隔を支持するサブ柱状スペーサの２つが知られている。
【先行技術文献】
【特許文献】
【０００３】
【特許文献１】特開２００５−３３８７７０号公報
【発明の概要】
【発明が解決しようとする課題】
【０００４】
柱状スペーサにより、第１および第２の基板間の間隙を均一に保持して成る液晶表示装置では、その製造工程において、ＣＦ基板形成後に、柱状スペーサの上から、ポリイミド溶液からなる配向膜材料を塗布して配向膜を形成している。
そして、配向膜の配向プロセスでのラビング時にラビング進行方向に沿って、メイン柱状スペーサとサブ柱状スペーサからの配向異常が起き、光漏れとなり、コントラスト低下、すじむら不良の要因となる。ここで、光漏れは、各色の透過率より、緑のサブピクセルが最も高く、青のサブピクセルが最も低い。
このため、メイン柱状スペーサとサブ柱状スペーサの配置位置は、ラビング進行方向、配置色を加味して決定している。
しかしながら、２画素マルチドメインタイプの画素は、２画素で１つの屈曲を形成するため、画素により屈曲方向が異なる。そのため、製品の赤（Ｒ），緑（Ｇ），青（Ｂ）のサブピクセルの配列と屈曲方向に対して、メイン柱状スペーサとサブ柱状スペーサの配置位置を決定する必要がある。
本発明は、前記要望に応えるためになされたものであり、本発明の目的は、２画素マルチドメインタイプの画素を有する液晶表示装置において、最適な柱状スペーサの配置位置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
２画素マルチドメイン屈曲の液晶表示パネルの場合、サブピクセル間に柱状スペーサを配置することにより、ラビング時の引きずりが両方のサブピクセルにかかり、両サブピクセルとも光漏れが発生する。また、屈曲の方向が異なるため、段数（奇数段、または偶数段）によってラビング時の引きずりが異なる。
また、光漏れレベルは、柱状スペーサの高さが高いほど悪く、透過率の高い緑（Ｇ）のサブピクセルが最も悪い。なお、緑（Ｇ）のサブピクセルに続いて赤（Ｒ）のサブピクセルの透過率が高く、青（Ｂ）のサブピクセルの透過率が一番低い。
本発明では、赤（Ｒ），緑（Ｇ），青（Ｂ）の配列と段数で、緑（Ｇ）のサブピクセルへのラビング引きずりが最小となるように、柱状スペーサの配置を変更することにより、光もれを低減する。
また、柱状スペーサの配置を、走査線と映像線の交差部から、サブピクセルによって異なる方向に偏らせることで、サブピクセルの屈曲方向に関係なく、柱状スペーサの配置をラビングの方向に対して、一直線上に配置することで、ラビング時の引き傷を最小としている。
【発明の効果】
【０００６】
本願において開示される発明のうち代表的なものによって得られる効果を簡単に説明すれば、下記の通りである。
本発明によれば、２画素マルチドメインタイプの画素を有する液晶表示装置において、柱状スペーサを最適な位置に配置することが可能である。
【図面の簡単な説明】
【０００７】
【図１】従来の液晶表示パネルの電極構成を示す平面図である。
【図２】図１のＡ−Ａ'切断線に沿った断面構造を示す断面図である。
【図３】本発明の実施例の液晶表示パネルの電極構成を示す平面図である。
【図４】本発明の実施例の液晶表示パネルの柱状スペーサの配置方法１を説明するための図である。
【図５】本発明の実施例の液晶表示パネルの柱状スペーサの配置方法２を説明するための図である。
【図６】本発明の実施例の液晶表示パネルの柱状スペーサの配置方法３を説明するための図である。
【図７】本発明の実施例の液晶表示パネルの柱状スペーサの配置方法３の変形例を説明するための図である。
【図８】本発明の実施例の液晶表示パネルの柱状スペーサの配置方法４を説明するための図である。
【図９】本発明の実施例の液晶表示パネルの柱状スペーサの配置方法５を説明するための図である。
【図１０】本発明の実施例の液晶表示パネルの柱状スペーサの配置方法６を説明するための図である。
【図１１】本発明の実施例の液晶表示パネルの柱状スペーサの配置方法７を説明するための図である。
【図１２】本発明の実施例の液晶表示パネルの柱状スペーサの配置方法７の変形例を説明するための図である。
【図１３】本発明の実施例の液晶表示パネルの柱状スペーサの配置方法８を説明するための図である。
【図１４】本発明の実施例の液晶表示パネルの柱状スペーサの配置方法９を説明するための図である。
【発明を実施するための形態】
【０００８】
以下、図面を参照して本発明の実施例を詳細に説明する。
なお、実施例を説明するための全図において、同一機能を有するものは同一符号を付け、その繰り返しの説明は省略する。また、以下の実施例は、本発明の特許請求の範囲の解釈を限定するためのものではない。
［従来の液晶表示パネルの構成］
図１は、従来の液晶表示パネルの電極構成を示す平面図であり、図２は、図１のＡ−Ａ'切断線に沿った断面構造を示す断面図である。
図１に示す液晶表示パネルは、一対のガラス基板の一方のガラス基板に形成された画素電極と、対向電極との間で電界を印加して液晶分子を駆動する、所謂、ＩＰＳ（In-Plane-Switching）方式の液晶表示パネルを有する液晶表示装置である。
図１に示す従来の液晶表示パネルでは、液晶層（ＬＣ）を挟んで、ＴＦＴ基板（本発明の第１の基板）と、ＣＦ基板（本発明の第２の基板）とが設けられる。
図２に示すように、ＴＦＴ基板は、透明基板（例えば、ガラス基板）（ＳＵＢ１）を有し、透明基板（ＳＵＢ１）の液晶層側には、透明基板（ＳＵＢ１）から液晶層（ＬＣ）に向かって順に、走査線（ゲート線ともいう）（ＧＬ）、対向電極（ＣＴ；共通電極ともいう）、層間絶縁膜（ＰＡＳ２）、層間絶縁膜（ＰＡＳ１）、画素電極（ＰＸ）、配向膜（ＡＬ１）が形成される。なお、透明基板（ＳＵＢ１）の外側には偏光板（ＰＯＬ１）が形成される。
また、透明基板（ＳＵＢ１）の液晶層側には、映像線（ソース線またはドレイン線ともいう）（ＤＬ）および薄膜トランジスタ（ＴＦＴ）も形成されるが、図２では図示を省略している。
【０００９】
ＣＦ基板は、透明基板（例えば、ガラス基板）（ＳＵＢ２）を有し、透明基板（ＳＵＢ２）の液晶層側には、透明基板（ＳＵＢ２）から液晶層（ＬＣ）に向かって順に、遮光膜（ＢＭ）、赤・緑・青のカラーフィルタ（ＣＦ）、平坦化膜（ＯＣ）、配向膜（ＡＬ２）が形成される。なお、透明基板（ＳＵＢ２）の外側には偏光板（ＰＯＬ２）が形成される。また、図１に示す液晶表示パネルでは、透明基板（ＳＵＢ２）の主表面側が観察側となっている。
また、図１に示す液晶表示パネルでは、対向電極（ＣＴ）は面状に形成され、画素電極（ＰＸ）には、複数のスリット（ＳＬＴ）が形成される。
図１に示す液晶表示パネルでは、画素電極（ＰＸ）と、対向電極（ＣＴ）とが、層間絶縁膜（ＰＡＳ１）を介して積層されており、画素電極（ＰＸ）と対向電極（ＣＴ）との間に形成されるアーチ状の電気力線が液晶層（ＬＣ）を貫くように分布することにより液晶層（ＬＣ）を配向変化させる。
画素電極（ＰＸ）および対向電極（ＣＴ）は、例えば、ＩＴＯ（Indium Tin Oxide）等の透明導電膜で構成される。さらに、画素電極（ＰＸ）と対向電極（ＣＴ）とが、層間絶縁膜（ＰＡＳ１，ＰＡＳ２）を介して重畳しており、これによって保持容量を形成している。尚、層間絶縁膜（ＰＡＳ１）は、１層に限定されず、２層以上であっても良い。
【００１０】
図１に示すように、走査線（ＧＬ）と、映像線（ＤＬ）とで囲まれる矩形状の領域内に、１サブピクセルが形成される。この１サブピクセルが形成される領域は、ＣＦ基板（ＳＵＢ２）側に形成される遮光膜（ＢＭ）によって遮光されることから、実質的な１サブピクセルが形成される領域として機能する領域は、遮光膜（ＢＭ）の開口部（図２において太線で示している）となる。また、図１において、ＴＦＴは、アクティブ素子を構成する薄膜トランジスタである。
透明基板（ＳＵＢ２）の、図１の１０の位置には、一対の透明基板（ＳＵＢ１，ＳＵＢ２）間のギャップを一定に保持するための柱状スペーサ（ＳＰＡ）が形成される。この柱状スペーサ（ＳＰＡ）は、図２に示すように、透明基板（ＳＵＢ１）側では、走査線（ＧＬ）上の位置となるように形成されている。
柱状スペーサ（ＳＰＡ）は、感光性樹脂で構成され、透明基板（ＳＵＢ２）の遮光膜（ＢＭ）上に形成される。なお、遮光膜（ＢＭ）上に形成される柱状スペーサ（ＳＰＡ）は、実際の製品では複数個形成される。
また、透明基板（ＳＵＢ１）の、走査線（ＧＬ）上には、台座層（ＭＴＬ）が形成される。なお、この台座層（ＭＴＬ）は、アルミニウム（Ａｌ）等の金属膜、あるいは、アモルファスシリコン層で形成される。
【００１１】
［本発明の実施例の液晶表示パネルの電極構成］
図３は、本発明の実施例の液晶表示パネルの電極構成を示す平面図である。
本実施例の液晶表示パネルは、２画素マルチドメインタイプの液晶表示パネルであるので、ＴＦＴ基板は、第１の方向（図３のＸ方向）に延在し、第１の方向と直交する第２の方向（図３のＹ方向）に複数配置される走査線（ＧＬ）と、屈曲しながら第２の方向に延在し、第１の方向に複数配置される映像線（ＤＬ）とを有する。
複数の映像線（ＤＬ）の各々は、各走査線（ＧＬ）と交差する２つの交差角の中で鋭角の交差角が、各走査線（ＧＬ）から時計回りの方向で正の角度（図３のθ）となる部分（ＤＬ−Ａ）と、各走査線（ＧＬ）から時計回りで負の角度（−θ）となる部分（ＤＬ−Ｂ）とを有し、部分（ＤＬ−Ａ）と部分（ＤＬ−Ｂ）とは、走査線（ＧＬ）を挟んで交互に配置される。
以下の説明では、各映像線（ＤＬ）の部分（ＤＬ−Ａ）と部分（ＤＬ−Ｂ）とが、隣接する走査線（ＧＬ−Ｂ）と、各映像線（ＤＬ）の部分（ＤＬ−Ａ）と部分（ＤＬ−Ｂ）とが交差する交差位置（図３のＰＢの位置）より、Ｂのサブピクセル（第３の色のサブピクセル）側の位置（図３のＰＡの位置）で交差する走査線を走査線Ａ（ＧＬ−Ａ）、各映像線（ＤＬ）の部分（ＤＬ−Ａ）と部分（ＤＬ−Ｂ）とが、隣接する走査線（ＧＬ−Ａ）と、各映像線（ＤＬ）の部分（ＤＬ−Ａ）と部分（ＤＬ−Ｂ）とが交差する交差位置（図３のＰＡの位置）より、Ｒのサブピクセル（第１の色のサブピクセル）側の位置（図３のＰＢの位置）で交差する走査線を走査線Ｂ（ＧＬ−Ｂ）と定義する。
【００１２】
［本発明の実施例の液晶表示パネルの柱状スペーサの配置方法１］
図４は、本発明の実施例の液晶表示パネルの柱状スペーサの配置方法１を説明するための図である。なお、図４、および、後述する各図は、柱状スペーサと、映像線および走査線の対応関係を示す図である。
図４、および、後述する各図において、Ｒ，Ｇ，Ｂは、赤、緑、青のサブピクセル、１０Ａはメインの柱状スペーサの配置位置、１０Ｂはサブの柱状スペーサの配置位置、ＡＲ−Ａは、メインの柱状スペーサ１０Ａによるラビング時の引き傷、ＡＲ−Ｂは、サブの柱状スペーサ１０Ｂによるラビング時の引き傷である。
なお、図４、および、後述する各図において、走査線Ａ（ＧＬ−Ａ）は、奇数（ｏｄｄ）番目の走査線であり、走査線Ｂ（ＧＬ−Ｂ）は、偶数（ｅｖｅｎ）番目の走査線となっており、また、ラビングの進行方法は、図２のＹ方向となっている。
図４に示す配置方法では、メインの柱状スペーサ１０Ａは、走査線Ａ（ＧＬ−Ａ）と、青（Ｂ）のサブピクセルと赤（Ｒ）のサブピクセルとの間の映像線（ＤＬ）との交点に配置され、サブの柱状スペーサ１０Ｂは、走査線Ｂ（ＧＬ−Ｂ）と、青（Ｂ）のサブピクセルと赤（Ｒ）のサブピクセルとの間の映像線（ＤＬ）との交点に配置される。
【００１３】
図４に示す配置方法では、緑（Ｇ）のサブピクセルには、メインの柱状スペーサ１０Ａ、および、サブの柱状スペーサ１０Ｂによるラビング時の引き傷（ＡＲ−Ａ，ＡＲ−Ｂ）は発生しない。
また、赤（Ｒ）のサブピクセルには、高さが高いメインの柱状スペーサ１０Ａ、および、高さの低いサブの柱状スペーサ１０Ｂによるラビング時の引き傷（ＡＲ−Ａ，ＡＲ−Ｂ）が発生するが、高さの高いメインの柱状スペーサ１０Ａによるラビング時の引き傷（ＡＲ−Ｂ）は少なくすることができる。
さらに、青（Ｂ）のサブピクセルには、高いメインの柱状スペーサ１０Ａ、および、高さの低いサブの柱状スペーサ１０Ｂによるラビング時の引き傷（ＡＲ−Ａ，ＡＲ−Ｂ）が発生するが、高さの低いサブの柱状スペーサ１０Ｂによるラビング時の引き傷（ＡＲ−Ｂ）は少なくすることができる。
【００１４】
［本発明の実施例の液晶表示パネルの柱状スペーサの配置方法２］
図５は、本発明の実施例の液晶表示パネルの柱状スペーサの配置方法２を説明するための図である。
図５に示す配置方法は、図４に示す配置方法において、メインの柱状スペーサ１０Ａを、図５に示すＸ１の方向に変移させるとともに、サブの柱状スペーサ１０Ｂを、図５に示すＸ２の方向に変移させ、かつ、図５のＹ方向に配置されるメインの柱状スペーサ１０Ａの中心と、サブの柱状スペーサ１０Ｂの中心とを一致させるようにしたものである。
図５に示す配置方法では、緑（Ｇ）のサブピクセルには、メインの柱状スペーサ１０Ａ、および、サブの柱状スペーサ１０Ｂによるラビング時の引き傷（ＡＲ−Ａ，ＡＲ−Ｂ）は発生しない。
また、赤（Ｒ）と青（Ｂ）のサブピクセルには、高さの高いメインの柱状スペーサ１０Ａ、および、高さの低いサブの柱状スペーサ１０Ｂによるラビング時の引き傷（ＡＲ−Ａ，ＡＲ−Ｂ）が発生することになるが、引き傷（ＡＲ−Ａ）と引き傷（ＡＲ−Ｂ）とが重複する領域を少なくすることができる。
【００１５】
なお、図５では、図５のＹ方向に配置されるメインの柱状スペーサ１０Ａの中心と、サブの柱状スペーサ１０Ｂの中心とを一致させるようにしたが、図４の状態から図５の状態まで、メインの柱状スペーサ１０Ａを、図５に示すＸ１の方向に変移させ、かつ、サブの柱状スペーサ１０Ｂを、図５に示すＸ２の方向に変移させることにより、引き傷（ＡＲ−Ａ）と引き傷（ＡＲ−Ｂ）とが重複する領域を、図４に示す配置方法よりも少なくすることができる。
また、図４、図５では、メインの柱状スペーサ１０Ａを、走査線Ａ（ＧＬ−Ａ）と、青（Ｂ）のサブピクセルと赤（Ｒ）のサブピクセルとの間の映像線（ＤＬ）との交点（あるいは、その近傍）に配置し、サブの柱状スペーサ１０Ｂを、走査線Ｂ（ＧＬ−Ｂ）と、青（Ｂ）のサブピクセルと赤（Ｒ）のサブピクセルとの間の映像線（ＤＬ）との交点（あるいは、その近傍）に配置しているが、メインの柱状スペーサ１０Ａを、走査線Ｂ（ＧＬ−Ａ）と、青（Ｂ）のサブピクセルと赤（Ｒ）のサブピクセルとの間の映像線（ＤＬ）との交点（あるいは、その近傍）に配置し、サブの柱状スペーサ１０Ｂを、走査線Ｂ（ＧＬ−Ａ）と、青（Ｂ）のサブピクセルと赤（Ｒ）のサブピクセルとの間の映像線（ＤＬ）との交点（あるいは、その近傍）に配置するようにしてもよい。
さらに、図４、図５において、１画素内のサブピクセルの配置は、赤（Ｒ），緑（Ｇ），青（Ｂ）に代えて、青（Ｂ），緑（Ｇ），赤（Ｒ）の配置に変更してもよい。
【００１６】
［本発明の実施例の液晶表示パネルの柱状スペーサの配置方法３］
図６は、本発明の実施例の液晶表示パネルの柱状スペーサの配置方法３を説明するための図である。
図６に示す配置方法は、図４に示す配置方法において、メインの柱状スペーサ１０Ａと、サブの柱状スペーサ１０Ｂを、図６に示すＸ２の方向に変移させ、かつ、図６のＹ方向に配置されるメインの柱状スペーサ１０Ａの中心と、サブの柱状スペーサ１０Ｂの中心とを一致させるようにしたものである。
図７は、本発明の実施例の液晶表示パネルの柱状スペーサの配置方法３の変形例を説明するための図である。
図７に示す配置方法は、１画素内のサブピクセルの配置を、赤（Ｒ），緑（Ｇ），青（Ｂ）に代えて、青（Ｂ），緑（Ｇ），赤（Ｒ）の配置に変更したものであり、図７の場合は、図４に示す配置方法において、メインの柱状スペーサ１０Ａと、サブの柱状スペーサ１０Ｂを、図７に示すＸ１の方向に変移させ、かつ、図７のＹ方向に配置されるメインの柱状スペーサ１０Ａの中心と、サブの柱状スペーサ１０Ｂの中心とを一致させるようにしたものである。
図６、図７に示す配置方法では、緑（Ｇ）のサブピクセルには、メインの柱状スペーサ１０Ａ、および、サブの柱状スペーサ１０Ｂによるラビング時の引き傷（ＡＲ−Ａ，ＡＲ−Ｂ）は発生しない。
【００１７】
また、赤（Ｒ）と青（Ｂ）のサブピクセルには、高さが高いメインの柱状スペーサ１０Ａ、および、高さの低いサブの柱状スペーサ１０Ｂによるラビング時の引き傷（ＡＲ−Ａ，ＡＲ−Ｂ）が発生することになるが、赤（Ｒ）サブピクセルに発生するメインの柱状スペーサ１０Ａ、および、サブの柱状スペーサ１０Ｂによるラビング時の引き傷（ＡＲ−Ａ，ＡＲ−Ｂ）を少なくすることができる。
さらに、図６、図７に示す配置方法は、図５に示す配置方法と同様、引き傷（ＡＲ−Ａ）と引き傷（ＡＲ−Ｂ）とが重複する領域を少なくすることができる。
なお、メインの柱状スペーサ１０Ａと、サブの柱状スペーサ１０Ｂの変移量を大きくすることにより、赤（Ｒ）サブピクセルに発生するメインの柱状スペーサ１０Ａ、および、サブの柱状スペーサ１０Ｂによるラビング時の引き傷（ＡＲ−Ａ，ＡＲ−Ｂ）をなくすことができるが、変移量を大きくすると、メインの柱状スペーサ１０Ａ、あるいは、サブの柱状スペーサ１０Ｂの頂点が、段差部（走査線（ＧＬ）と映像線（ＤＬ）とが交差することにより生じる段差）と接触しなくなるので、メインの柱状スペーサ１０Ａ、あるいは、サブの柱状スペーサ１０Ｂの頂点が、段差部の一部に接するように、変移量を設定するのが好ましい。
【００１８】
［本発明の実施例の液晶表示パネルの柱状スペーサの配置方法４］
図８は、本発明の実施例の液晶表示パネルの柱状スペーサの配置方法４を説明するための図である。
一般に、１画素は、赤（Ｒ），緑（Ｇ），青（Ｂ）のサブピクセルで構成されるが、図４乃至図７は、１画素当たり１個の柱状スペーサを配置したものであるが、図８乃至図１４は、１画素当たり２個の柱状スペーサを配置したものである。
図８に示す配置方法では、メインの柱状スペーサ１０Ａは、走査線Ａ（ＧＬ−Ａ）と、青（Ｂ）のサブピクセルと赤（Ｒ）のサブピクセルとの間の映像線（ＤＬ）との交点に配置される。
また、サブの柱状スペーサ１０Ｂは、走査線Ｂ（ＧＬ−Ｂ）と、青（Ｂ）のサブピクセルと赤（Ｒ）のサブピクセルとの間の映像線（ＤＬ）との交点に配置されるとともに、全ての走査線（走査線Ａ（ＧＬ−Ａ）と走査線Ｂ（ＧＬ−Ｂ））と、緑（Ｇ）のサブピクセルと青（Ｂ）のサブピクセルとの間の映像線（ＤＬ）との交点に配置される。
図４に示す配置方法では、緑（Ｇ）のサブピクセルには、メインの柱状スペーサ１０Ａ、および、サブの柱状スペーサ１０Ｂによるラビング時の引き傷（ＡＲ−Ａ，ＡＲ−Ｂ）は発生しないが、図８に示す配置方法では、高さの低いサブの柱状スペーサ１０Ｂによるラビング時の引き傷（ＡＲ−Ｂ）が発生することになる。それ以外は、図４に示す配置方法と同じである。
【００１９】
［本発明の実施例の液晶表示パネルの柱状スペーサの配置方法５］
図９は、本発明の実施例の液晶表示パネルの柱状スペーサの配置方法５を説明するための図である。
図９に示す配置方法では、メインの柱状スペーサ１０Ａは、走査線Ａ（ＧＬ−Ａ）と、青（Ｂ）のサブピクセルと赤（Ｒ）のサブピクセルとの間の映像線（ＤＬ）との交点に配置される。
また、サブの柱状スペーサ１０Ｂは、走査線Ｂ（ＧＬ−Ｂ）と、青（Ｂ）のサブピクセルと赤（Ｒ）のサブピクセルとの間の映像線（ＤＬ）との交点に配置されるとともに、走査線Ａ（ＧＬ−Ａ）と、赤（Ｒ）のサブピクセルと緑（Ｇ）のサブピクセルとの間の映像線（ＤＬ）との交点と、走査線Ｂ（ＧＬ−Ｂ）と、緑（Ｇ）のサブピクセルと青（Ｂ）のサブピクセルとの間の映像線（ＤＬ）との交点に配置される
図９に示す配置方法では、高さの低いサブの柱状スペーサ１０Ｂによるラビング時の引き傷（ＡＲ−Ｂ）が発生する領域が、図８に示す配置方法よりも大きくなる。それ以外は、図８に示す配置方法と同じである。
【００２０】
［本発明の実施例の液晶表示パネルの柱状スペーサの配置方法６］
図１０は、本発明の実施例の液晶表示パネルの柱状スペーサの配置方法６を説明するための図である。
図１０に示す配置方法は、図８に示す配置方法において、走査線Ａ（ＧＬ−Ａ）上に配置されるメインの柱状スペーサ１０Ａと、サブの柱状スペーサ１０Ｂを、図１０に示すＸ１の方向に変移させるとともに、走査線Ｂ（ＧＬ−Ｂ）上に配置されるサブの柱状スペーサ１０Ｂを、図１０に示すＸ２の方向に変移させ、かつ、図１０のＹ方向に配置されるメインの柱状スペーサ１０Ａの中心と、サブの柱状スペーサ１０Ｂの中心とを一致させるようにしたものである。
図１０に示す配置方法は、図８に示す配置方法に比して、引き傷（ＡＲ−Ａ）と引き傷（ＡＲ−Ｂ）とが重複する領域を少なくすることができる。
なお、図１０では、図１０のＹ方向に配置されるメインの柱状スペーサ１０Ａの中心と、サブの柱状スペーサ１０Ｂの中心とを一致させるようにしたが、図８の状態から図１０の状態まで、走査線Ａ（ＧＬ−Ａ）上に配置されるメインの柱状スペーサ１０Ａと、サブの柱状スペーサ１０Ｂを、図１０に示すＸ１の方向に変移させ、かつ、走査線Ｂ（ＧＬ−Ｂ）上に配置されるサブの柱状スペーサ１０Ｂを、図１０に示すＸ２の方向に変移させることにより、引き傷（ＡＲ−Ａ）と引き傷（ＡＲ−Ｂ）とが重複する領域を、図８に示す配置方法よりも少なくすることができる。
【００２１】
また、図８、図１０では、メインの柱状スペーサ１０Ａを、走査線Ａ（ＧＬ−Ａ）と、青（Ｂ）のサブピクセルと赤（Ｒ）のサブピクセルとの間の映像線（ＤＬ）との交点（あるいは、その近傍）に配置し、サブの柱状スペーサ１０Ｂを、走査線Ｂ（ＧＬ−Ｂ）と、青（Ｂ）のサブピクセルと赤（Ｒ）のサブピクセルとの間の映像線（ＤＬ）との交点（あるいは、その近傍）に配置するとともに、全ての走査線（走査線Ａ（ＧＬ−Ａ）と走査線Ｂ（ＧＬ−Ｂ））と、緑（Ｇ）のサブピクセルと青（Ｂ）のサブピクセルとの間の映像線（ＤＬ）との交点（あるいは、その近傍）に配置しているが、メインの柱状スペーサ１０Ａを、走査線Ｂ（ＧＬ−Ｂ）と、青（Ｂ）のサブピクセルと赤（Ｒ）のサブピクセルとの間の映像線（ＤＬ）との交点（あるいは、その近傍）に配置し、サブの柱状スペーサ１０Ｂを、走査線Ａ（ＧＬ−Ａ）と、青（Ｂ）のサブピクセルと赤（Ｒ）のサブピクセルとの間の映像線（ＤＬ）との交点（あるいは、その近傍）に配置するとともに、全ての走査線（走査線Ａ（ＧＬ−Ａ）と走査線Ｂ（ＧＬ−Ｂ））と、緑（Ｇ）のサブピクセルと青（Ｂ）のサブピクセルとの間の映像線（ＤＬ）との交点（あるいは、その近傍）に配置するようにしてもよい。
さらに、図８、図１０において、１画素内のサブピクセルの配置は、赤（Ｒ），緑（Ｇ），青（Ｂ）に代えて、青（Ｂ），緑（Ｇ），赤（Ｒ）の配置に変更してもよい。
【００２２】
［本発明の実施例の液晶表示パネルの柱状スペーサの配置方法７］
図１１は、本発明の実施例の液晶表示パネルの柱状スペーサの配置方法７を説明するための図である。
図１１に示す配置方法は、図８に示す配置方法において、走査線Ａ（ＧＬ−Ａ）と、青（Ｂ）のサブピクセルと赤（Ｒ）のサブピクセルとの間の映像線（ＤＬ）との交点に配置されるメインの柱状スペーサ１０Ａ、および、走査線Ｂ（ＧＬ−Ｂ）と、青（Ｂ）のサブピクセルと赤（Ｒ）のサブピクセルとの間の映像線（ＤＬ）との交点に配置されるサブの柱状スペーサ１０Ｂを、図１１に示すＸ２の方向に変移させるとともに、走査線Ａ（ＧＬ−Ａ）および走査線Ｂ（ＧＬ−Ｂ）と、緑（Ｇ）のサブピクセルと青（Ｂ）のサブピクセルとの間の映像線（ＤＬ）との交点に配置されるサブの柱状スペーサ１０Ｂを、図１１に示すＸ１の方向に変移させ、かつ、図１１のＹ方向に配置されるメインの柱状スペーサ１０Ａの中心と、サブの柱状スペーサ１０Ｂの中心とを一致させるようにしたものである。
図１２は、本発明の実施例の液晶表示パネルの柱状スペーサの配置方法７の変形例を説明するための図である。
図１２に示す配置方法は、１画素内のサブピクセルの配置を、赤（Ｒ），緑（Ｇ），青（Ｂ）に代えて、青（Ｂ），緑（Ｇ），赤（Ｒ）の配置に変更したものであり、図１２の場合は、走査線Ａ（ＧＬ−Ａ）と、赤（Ｒ）のサブピクセルと青（Ｂ）のサブピクセルとの間の映像線（ＤＬ）との交点に配置されるメインの柱状スペーサ１０Ａ、および、走査線Ｂ（ＧＬ−Ｂ）と、赤（Ｒ）のサブピクセルと青（Ｂ）のサブピクセルとの間の映像線（ＤＬ）との交点に配置されるサブの柱状スペーサ１０Ｂを、図１２に示すＸ１の方向に変移させるとともに、走査線Ａ（ＧＬ−Ａ）および走査線Ｂ（ＧＬ−Ｂ）と、青（Ｂ）のサブピクセルと緑（Ｇ）のサブピクセルとの間の映像線（ＤＬ）との交点に配置されるサブの柱状スペーサ１０Ｂを、図１２に示すＸ２の方向に変移させ、かつ、図１２のＹ方向に配置されるメインの柱状スペーサ１０Ａの中心と、サブの柱状スペーサ１０Ｂの中心とを一致させるようにしたものである。
【００２３】
図１２に示す配置方法は、図１０に示す配置方法と同様、引き傷（ＡＲ−Ａ）と引き傷（ＡＲ−Ｂ）とが重複する領域を少なくすることができる。
なお、メインの柱状スペーサ１０Ａと、サブの柱状スペーサ１０Ｂの変移量を大きくすることにより、緑（Ｇ）あるいは赤（Ｒ）サブピクセルに発生する高いメインの柱状スペーサ１０Ａ、および、高さの低いサブの柱状スペーサ１０Ｂによるラビング時の引き傷（ＡＲ−Ａ，ＡＲ−Ｂ）をなくすことができるが、変移量を大きくすると、メインの柱状スペーサ１０Ａ、あるいは、サブの柱状スペーサ１０Ｂの頂点が、段差部（走査線（ＧＬ）と映像線（ＤＬ）とが交差することにより生じる段差）と接触しなくなるので、メインの柱状スペーサ１０Ａ、あるいは、サブの柱状スペーサ１０Ｂの頂点が、段差部の一部に接するように、変移量を設定するのが好ましい。
【００２４】
［本発明の実施例の液晶表示パネルの柱状スペーサの配置方法８］
図１３は、本発明の実施例の液晶表示パネルの柱状スペーサの配置方法８を説明するための図である。
図１３に示す配置方法は、図９に示す配置方法において、走査線Ａ（ＧＬ−Ａ）と、青（Ｂ）のサブピクセルと赤（Ｒ）のサブピクセルとの間の映像線（ＤＬ）との交点に配置されるメインの柱状スペーサ１０Ａを、図１３に示すＸ１の方向に変移させるとともに、走査線Ｂ（ＧＬ−Ｂ）と、青（Ｂ）のサブピクセルと赤（Ｒ）のサブピクセルとの間の映像線（ＤＬ）との交点に配置されるサブの柱状スペーサ１０Ｂを、図１３に示すＸ２の方向に変移させ、かつ、図１３のＹ方向に配置されるメインの柱状スペーサ１０Ａの中心と、サブの柱状スペーサ１０Ｂの中心とを一致させるようにしたものである。
図１３に示す配置方法は、図９に示す配置方法に比して、引き傷（ＡＲ−Ａ）と引き傷（ＡＲ−Ｂ）とが重複する領域を少なくすることができる。
なお、図１３では、図１３のＹ方向に配置されるメインの柱状スペーサ１０Ａの中心と、サブの柱状スペーサ１０Ｂの中心とを一致させるようにしたが、図９の状態から図１３の状態まで、走査線Ａ（ＧＬ−Ａ）と、青（Ｂ）のサブピクセルと赤（Ｒ）のサブピクセルとの間の映像線（ＤＬ）との交点に配置されるメインの柱状スペーサ１０Ａを、図１３に示すＸ１の方向に変移させ、かつ、走査線Ｂ（ＧＬ−Ｂ）と、青（Ｂ）のサブピクセルと赤（Ｒ）のサブピクセルとの間の映像線（ＤＬ）との交点に配置されるサブの柱状スペーサ１０Ｂを、図１３に示すＸ２の方向に変移させることにより、引き傷（ＡＲ−Ａ）と引き傷（ＡＲ−Ｂ）とが重複する領域を、図９に示す配置方法よりも少なくすることができる。
【００２５】
また、図９、図１３では、メインの柱状スペーサ１０Ａを、走査線Ａ（ＧＬ−Ａ）と、青（Ｂ）のサブピクセルと赤（Ｒ）のサブピクセルとの間の映像線（ＤＬ）との交点（あるいは、その近傍）に配置し、サブの柱状スペーサ１０Ｂを、走査線Ａ（ＧＬ−Ａ）と、赤（Ｒ）のサブピクセルと緑（Ｇ）のサブピクセルとの間の映像線（ＤＬ）との交点、並びに、走査線Ｂ（ＧＬ−Ｂ）と、青（Ｂ）のサブピクセルと赤（Ｒ）のサブピクセルとの間の映像線（ＤＬ）との交点（あるいは、その近傍）、および、走査線Ｂ（ＧＬ−Ｂ）と、緑（Ｇ）のサブピクセルと青（Ｂ）のサブピクセルとの間の映像線（ＤＬ）との交点に配置しているが、メインの柱状スペーサ１０Ａを、走査線Ｂ（ＧＬ−Ｂ）と、青（Ｂ）のサブピクセルと赤（Ｒ）のサブピクセルとの間の映像線（ＤＬ）との交点（あるいは、その近傍）に配置し、サブの柱状スペーサ１０Ｂを、走査線Ｂ（ＧＬ−Ｂ）と、赤（Ｒ）のサブピクセルと緑（Ｇ）のサブピクセルとの間の映像線（ＤＬ）との交点、並びに、走査線Ａ（ＧＬ−Ａ）と、青（Ｂ）のサブピクセルと赤（Ｒ）のサブピクセルとの間の映像線（ＤＬ）との交点（あるいは、その近傍）、および、走査線Ａ（ＧＬ−Ａ）と、緑（Ｇ）のサブピクセルと青（Ｂ）のサブピクセルとの間の映像線（ＤＬ）との交点に配置するようにしてもよい。
さらに、図９、図１３において、１画素内のサブピクセルの配置は、赤（Ｒ），緑（Ｇ），青（Ｂ）に代えて、青（Ｂ），緑（Ｇ），赤（Ｒ）の配置に変更してもよい。
【００２６】
［本発明の実施例の液晶表示パネルの柱状スペーサの配置方法９］
図１４は、本発明の実施例の液晶表示パネルの柱状スペーサの配置方法９を説明するための図である。
図１４に示す配置方法は、図９に示す配置方法において、走査線Ａ（ＧＬ−Ａ）と、青（Ｂ）のサブピクセルと赤（Ｒ）のサブピクセルとの間の映像線（ＤＬ）との交点に配置されるメインの柱状スペーサ１０Ａと、走査線Ｂ（ＧＬ−Ｂ）と、青（Ｂ）のサブピクセルと赤（Ｒ）のサブピクセルとの間の映像線（ＤＬ）との交点に配置されるサブの柱状スペーサ１０Ｂを、図１４に示すＸ２の方向に変移させるとともに、走査線Ｂ（ＧＬ−Ｂ）と、緑（Ｇ）のサブピクセルと青（Ｂ）のサブピクセルとの間の映像線（ＤＬ）との交点に配置されるサブの柱状スペーサ１０Ｂを、図１４に示すＸ１の方向に変移させ、かつ、図１４のＹ方向に配置されるメインの柱状スペーサ１０Ａの中心と、サブの柱状スペーサ１０Ｂの中心とを一致させるようにしたものである。
図１４に示す配置方法は、図１３に示す配置方法と同様、引き傷（ＡＲ−Ａ）と引き傷（ＡＲ−Ｂ）とが重複する領域を少なくすることができる。
【００２７】
なお、１画素内のサブピクセルの配置が、青（Ｂ），緑（Ｇ），赤（Ｒ）の配置の場合であっても、青（Ｂ）のサブピクセルと隣り合う、緑（Ｇ）あるいは赤（Ｒ）のサブピクセルとの間の映像線（ＤＬ）との交点に配置されるメインの柱状スペーサ１０Ａと、サブの柱状スペーサ１０Ｂを、青（Ｂ）のサブピクセル側に変移させることにより、図１４に示す配置方法と同様の作用・効果を得ることができる。
また、メインの柱状スペーサ１０Ａと、サブの柱状スペーサ１０Ｂの変移量を大きくすることにより、赤（Ｒ）サブピクセルに発生する高いメインの柱状スペーサ１０Ａ、および、高さの低いサブの柱状スペーサ１０Ｂによるラビング時の引き傷（ＡＲ−Ａ，ＡＲ−Ｂ）をなくすことができるが、変移量を大きくすると、メインの柱状スペーサ１０Ａ、あるいは、サブの柱状スペーサ１０Ｂの頂点が、段差部（走査線（ＧＬ）と映像線（ＤＬ）とが交差することにより生じる段差）と接触しなくなるので、メインの柱状スペーサ１０Ａ、あるいは、サブの柱状スペーサ１０Ｂの頂点が、段差部の一部に接するように、変移量を設定するのが好ましい。
【００２８】
なお、前述の説明では、図４ないし図１４において、走査線Ａ（ＧＬ−Ａ）は、奇数（ｏｄｄ）番目の走査線であり、走査線Ｂ（ＧＬ−Ｂ）は、偶数（ｅｖｅｎ）番目の走査線となっているが、走査線Ａ（ＧＬ−Ａ）が、偶数（ｅｖｅｎ）番目の走査線で、走査線Ｂ（ＧＬ−Ｂ）が、奇数（ｏｄｄ）番目の走査線であっても構わない。
また、前述の説明では、本発明を、ＩＰＳ方式の液晶表示装置に適用した実施例について説明したが、本発明は、これに限定されず、例えば、ＴＮ（Twisted Nematic）方式、ＥＣＢ（Electrically Controlled Birefringence）方式、あるいは、ＶＡ（Vertically Aligned）方式の液晶表示装置にも適用可能である。但し、本発明を、これらの液晶表示装置に適用する場合には、対向電極（ＣＴ）はＣＦ基板（ＳＵＢ２）側に形成される。
なお、本実施例では、柱状スペーサの頂部は、ＴＦＴ基板に形成される信号線の交差箇所の段差により形成される凸部に接触することも前提に記述しているが、例えば、図２に示すように、ＴＦＴ基板上に台座を設けるようにしてもよい。
以上、本発明者によってなされた発明を、前記実施例に基づき具体的に説明したが、本発明は、前記実施例に限定されるものではなく、その要旨を逸脱しない範囲において種々変更可能であることは勿論である。
【符号の説明】
【００２９】
１０，ＳＰＡ  柱状スペーサ
１０Ａ  メインの柱状スペーサ
１０Ｂ  サブの柱状スペーサ
ＴＦＴ  薄膜トランジスタ
ＳＵＢ１，ＳＵＢ２  透明基板（例えば、ガラス基板）
ＰＯＬ１，ＰＯＬ２  偏光板
ＰＡＳ１，ＰＡＳ２  絶縁膜
ＯＣ  平坦化膜
ＡＬ１，ＡＬ２  配向膜
ＬＣ  液晶層
ＢＭ  遮光膜
ＣＦ  カラーフィルタ
ＰＸ  画素電極
ＳＬＴ  スリット
ＧＬ，ＧＬ−Ａ，ＧＬ−Ｂ  走査線（ゲート線ともいう）
ＤＬ，ＤＬ−Ａ，ＤＬ−Ｂ  映像線（ソース線またはドレイン線ともいう）
ＡＲ−Ａ  メインの柱状スペーサ１０Ａによる引き傷
ＡＲ−Ｂ  サブの柱状スペーサ１０Ｂによる引き傷
ＭＴＬ  台座層
【図１】
2018151673.tif 000003
【図２】
2018151673.tif 000004
【図３】
2018151673.tif 000005
【図４】
2018151673.tif 000006
【図５】
2018151673.tif 000007
【図６】
2018151673.tif 000008
【図７】
2018151673.tif 000009
【図８】
2018151673.tif 000010
【図９】
2018151673.tif 000011
【図１０】
2018151673.tif 000012
【図１１】
2018151673.tif 000013
【図１２】
2018151673.tif 000014
【図１３】
2018151673.tif 000015
【図１４】
2018151673.tif 000016